(57)【要約】【課題】掃除機本体の本体端子と充電台の充電端子を容易かつ確実に電気的接続ができる電気掃除機を提供することを目的とするものである。【解決手段】二次電池と接続された本体端子６を有する掃除機本体１と、前記掃除機本体１を載置する載置部１１と前記載置部１１に充電端子１３を有する充電台８とを備え、前記本体端子６と前記充電端子１３が電気的接続をしていない状態においても、前記掃除機本体１１を充電台８上で載置することができる保持部（１２、２１）を、前記載置部１１の略端部に設けたものである。【選択図】　図１
2004113600.tif 000002
【特許請求の範囲】
【請求項１】
吸引風を発する電動送風機及び前記電動送風機に電源を供給する二次電池を内蔵し、使用者が握る把手部と前記二次電池と接続された本体端子を有する掃除機本体と、前記掃除機本体を載置する載置部と前記載置部に充電端子を有する充電台とを備え、前記本体端子と前記充電端子が電気的接続をしていない状態においても、前記掃除機本体を充電台上で載置することができる保持部を、前記載置部の略端部に設けた電気掃除機。
【請求項２】
保持部を載置部の略両端部に複数設けた請求項１記載の電気掃除機。
【請求項３】
掃除機本体の前方底面を保持する保持部Ａと掃除機本体の後方底面を保持する保持部Ｂを、載置部中央方向に向かって傾斜させた請求項２記載の電気掃除機。
【請求項４】
載置部の少なくとも一部を、滑り性を有する軟質材を使用し形成した請求項１〜３のいずれか１項に記載の電気掃除機。
【請求項５】
載置部の少なくとも一部を、起毛布で形成した請求項４記載の電気掃除機。
【請求項６】
本体端子と充電端子が電気的接続をしていない状態で掃除機本体を充電台上で載置した形態から、本体端子と充電端子を電気的接続するために、掃除機本体を載置部に沿って移動させる方向に、起毛布のパイル毛を倒して形成した請求項５記載の電気掃除機。
【請求項７】
載置部に回転自在に軸支した回転体を設けた請求項１〜３のいずれか１項に記載の電気掃除機。
【請求項８】
充電端子と載置部の底面最低部の間に壁を設けた請求項１〜７のいずれか１項に記載の電気掃除機。
【請求項９】
載置部の底面最低部又はその近傍に充電台を貫通する貫通孔を設けた請求項１〜８のいずれか１項に記載の電気掃除機。
【請求項１０】
載置部の側面端部の最下端部を、充電端子を保持する充電端子部に設けた本体端子が挿入する本体端子挿入孔より低い高さとした請求項１〜９のいずれか１項に記載の電気掃除機。
【発明の詳細な説明】
【０００１】
【発明の属する技術分野】
本発明は、一般家庭で使用される電気掃除機及び充電台に関するものである。
【０００２】
【従来の技術】
従来の電気掃除機及び充電台としては、図９に示すように、掃除機本体５１の前部には着脱自在にホース５２が、前方上方には把手部５３がそれぞれ設けられ、充電器５４を内蔵した充電台５５に掃除機本体５１を載置させ、充電台５５に設けられ充電端子部５６に掃除機本体５１の本体端子部５７を装着させることで、充電端子部５６に設けられた充電端子５８と、本体端子部５７に設けられた本体端子５９とを接触させ充電を行っていた（例えば、特許文献１参照。）。
【０００３】
【特許文献１】
実公平６−８８５２号公報
【０００４】
【発明が解決しようとする課題】
しかしながら、上記従来の構成では、把手部５３を持って充電台５５にセットする時、充電端子５８に本体端子５９が確実に合うように本体端子５９を充電端子５８に狙いながらセットしなければならなかった為、困難さに加えて煩わしいという課題を有していた。
【０００５】
本発明は、上記従来の課題を解決するもので、掃除機本体の本体端子と充電台の充電端子を容易かつ確実に電気的接続ができる電気掃除機を提供することを目的とするものである。
【０００６】
【課題を解決するための手段】
上記従来の課題を解決するために本発明は、吸引風を発する電動送風機及び前記電動送風機に電源を供給する二次電池を内蔵し、使用者が握る把手部と前記二次電池と接続された本体端子を有する掃除機本体と、前記掃除機本体を載置する載置部と前記載置部に充電端子を有する充電台とを備え、前記本体端子と前記充電端子が電気的接続をしていない状態においても、前記掃除機本体を充電台上で載置することができる保持部を、前記載置部の略端部に設けたもので、掃除機本体を充電させたい時に、一担、掃除機本体を充電台上で載置させた後、前記本体端子と前記充電端子を電気的接続させることができるため、掃除機本体を充電台の載置部近傍に適当に置き、把手部を軽く引っ張るだけで確実かつ容易に充電状態にすることができる。
【０００７】
【発明の実施の形態】
請求項１記載の発明は、吸引風を発する電動送風機及び前記電動送風機に電源を供給する二次電池を内蔵し、使用者が握る把手部と前記二次電池と接続された本体端子を有する掃除機本体と、前記掃除機本体を載置する載置部と前記載置部に充電端子を有する充電台とを備え、前記本体端子と前記充電端子が電気的接続をしていない状態においても、前記掃除機本体を充電台上で載置することができる保持部を、前記載置部の略端部に設けたもので、掃除機本体を充電させたい時に、一担、掃除機本体を充電台上で載置させた後、前記本体端子と前記充電端子を電気的接続させることができるため、掃除機本体を充電台の載置部に適当に置き、把手部を軽く引っ張るだけで確実かつ容易に充電状態にすることができる。
【０００８】
請求項２記載の発明は、保持部を載置部の略両端部に複数設けたもので掃除機本体を充電させたい時に、一担、掃除機本体を充電台上で載置させるとき、より確実かつ容易に掃除機本体を充電台の載置部に載置することができる。
【０００９】
請求項３記載の発明は、掃除機本体の前方底面を保持する保持部Ａと掃除機本体の後方底面を保持する保持部Ｂを、載置部中央方向に向かって傾斜させたもので、充電台に適当に置かれた掃除機本体の把手部を引っ張ると前記両保持部の傾斜に沿って、掃除機本体が載置部中央へ寄せられ、本体端子部と充電端子部が合致し本体端子と充電端子が接触するので、端子部同士を合わせるように狙うことなく、掃除機本体を充電台の載置部近傍に適当に置き、把手部を軽く引っ張るだけで掃除機本体を確実かつ容易に充電状態にすることができる。
【００１０】
請求項４記載の発明は、載置部の少なくとも一部を、滑り性を有する軟質材を使用し形成したもので、掃除機本体を充電台の載置部近傍に適当に置き、把手部を引っ張ると掃除機本体の外郭が保持部に沿って滑るので、端子部同士を合わせるように狙うことなく、少しの力で掃除機本体を確実かつ容易に充電状態にすることができる。
【００１１】
請求項５記載の発明は、載置部の少なくとも一部を、起毛布で形成したもので、掃除機本体を充電台の載置部近傍に適当に置き、把手部を引っ張ると掃除機本体の外郭が保持部に沿って滑るので、端子部同士を合わせるように狙うことなく、少しの力で掃除機本体を確実かつ容易に充電状態にすることができる。また、起毛布を使用しているので、掃除機本体の外郭への傷付きを防止することができる。
【００１２】
請求項６記載の発明は、本体端子と充電端子が電気的接続をしていない状態で掃除機本体を充電台上で載置した形態から、本体端子と充電端子を電気的接続するために、掃除機本体を載置部に沿って移動させる方向に、起毛布のパイル毛を倒して形成したもので、掃除機本体を充電台の載置部近傍に適当に置き、把手部を引っ張ると掃除機本体の外郭が保持部に沿って滑り、起毛布のパイル毛は掃除機本体の挿入方向に倒されているので、端子部同士を合わせるように狙うことなく、ほんの少しの力で掃除機本体を確実かつ容易に充電状態にすることができる。また、起毛布を使用しているので、掃除機本体の外郭への傷付きを防止することができる。
【００１３】
請求項７記載の発明は、載置部に回転自在に軸支した回転体を設けたもので、掃除機本体を充電台の載置部近傍に適当に置き、把手部を引っ張ると掃除機本体の外郭が回転体と当接し、回転体が回転することで掃除機本体を充電状態の位置へ誘導するので、端子部同士を合わせるように狙うことなく、少しの力で掃除機本体を確実かつ容易に充電状態にすることができる。
【００１４】
請求項８記載の発明は、充電端子と載置部の底面最低部の間に壁を設けたもので、載置部に塵埃や水等の液体が付着しても、充電端子部に設けた壁に遮られているので、充電端子部内に塵埃や水等の液体が侵入するのを防止することができる。
【００１５】
請求項９記載の発明は、載置部の底面最低部又はその近傍に充電台を貫通する貫通孔を設けたもので、載置部内に水等の液体が入っても貫通孔を通り載置部内から排出することができるので、水等の液体が充電端子部内の充電端子に付着することを防止することができる。
【００１６】
請求項１０記載の発明は、載置部の側面端部の最下端部を、充電端子を保持する充電端子部に設けた本体端子が挿入する本体端子挿入孔より低い高さとしたもので、載置部内に水等の液体が入っても充電端子部内に侵入する前に載置部側面から排出することができるので、水等の液体が充電端子部内の充電端子に付着することを防止することができる。
【００１７】
【実施例】
以下、本発明の実施例について、図１〜図８を参照しながら説明する。
【００１８】
（実施例１）
図１〜図５は、本発明の第１の実施例における電気掃除機及び充電台の斜視図、側面図、中央断面図を示すものである。
【００１９】
１は掃除機本体であり、吸引風を発する電動送風機（図示せず）及び前記電動送風機（図示せず）へ電源を供給する二次電池（図示せず）を内蔵し、前記電動送風機（図示せず）の吸気上流側に塵埃を捕集する集塵室２を設けている。その上方には、掃除機本体１を持ち運ぶための把手部３を設けている。また、掃除機本体１の下面にはキャスター４、後方の左右にはローラー５を回動自在に装着してあり、後面には本体端子６からなる略凹状の本体端子部７を二次電池（図示せず）に接続して設けてある。
【００２０】
次に充電台８は上ケース９と下ケース１０をネジ止め（図示せず）し、一体化して構成しており、上ケース９の上面には掃除機本体１の後面の形状に合わせて構成し、掃除機本体１の後面を安定して載置できる載置部１１を形成している。前記載置部１１近傍に掃除機本体１の把手部３を持って本体端子６と充電端子１３が電気的接続しない状態で載置した時、掃除機本体１の下面を保持する保持部Ａ１２を掃除機本体１の下面形状に合わせて設けてある。載置部１１には、充電端子１３を内部に保持する略凸状の充電端子部１４が設けてあり、この充電端子１１は充電台８に内蔵した充電用回路１５に接続してある。充電端子部１４の充電端子１３と載置部１１の底面最低部１６の間に、充電状態で本体端子６を挿入する本体端子挿入孔１７の高さまで前記底面最低部１６から壁１８を設けている。さらに、載置部１１の側面端部１９で最も低い位置を、壁１８の上面部分より低い位置で形成し、底面最低部１６には、上ケース９から下ケース１０に貫通する貫通孔２０を設けている。
【００２１】
また、載置部１１には、本体端子６と充電端子１３が電気的接続する充電状態および本体端子６と充電端子１３が電気的接続しない状態でも、掃除機本体１の後面を保持する保持部Ｂ２１を、滑り性の優れた軟質材２２で形成し、載置部１１端部から中央に向かって傾斜して設けている。
【００２２】
上記構成による作用は以下のとおりである。
【００２３】
掃除機本体１の内部の二次電池を充電する時、把手部３を持ち本体傾斜状態のままで掃除機本体１を載置部１１近傍に適当に置き、把手部３を軽く引っ張る（図２矢印方向ａ）と掃除機本体１外郭が保持部Ｂ２１を滑り（図２矢印方向ｂ）、且つ、掃除機本体１を載置部１１中央に誘導しながら本体端子部７が充電端子部１４に係合し、本体端子６が本体端子挿入孔１７を介して充電端子１３と接触して充電状態になる。
【００２４】
したがって、端子部同士を合わせるように狙うことなく、掃除機本体を充電台の載置部近傍に適当に置き、把手部を軽く引っ張るだけで確実かつ容易に充電状態にすることができる。
【００２５】
さらに、載置部１１に塵埃や水等の液体が付着しても、充電端子部１４に設けた壁１８に遮られると共に、貫通孔２０又は側面端部１９を通り載置部１１内から排出することができるので、充電端子部１４内に塵埃や水等の液体が侵入し、充電端子に付着するのを防止することができる。
【００２６】
（実施例２）
図６は、本発明の第２の実施例における充電台の中央断面図を示すものである。なお上記実施例と同一構成部品については同一符号を付して、その説明を省略する。
【００２７】
載置部１１の充電端子部１４と反対側には、充電状態で掃除機本体１を保持する保持部Ｂ２１を、掃除機本体１を充電台８に挿入する方向（図２矢印方向ｃ）に倒して形成したパイル毛からなる起毛布２３で形成し、載置部１１端部から中央に向かって傾斜して設けている。
【００２８】
上記構成による作用は以下のとおりである。
【００２９】
掃除機本体１の内部の二次電池を充電する時、把手部３を持ち掃除機本体１が傾斜状態（本体端子６と充電端子１３が電気的接続しない状態）のままで掃除機本体１を載置部１１近傍に適当に置き、把手部３を軽く引っ張ると掃除機本体１外郭が起毛布２３上を滑り、且つ、掃除機本体１を載置部１１中央に誘導しながら本体端子部７が充電端子部１４に係合し、本体端子６が本体端子挿入孔１７を介して充電端子１３と接触して充電状態になる。
【００３０】
したがって、端子部同士を合わせるように狙うことなく、掃除機本体を充電台の載置部近傍に適当に置き、把手部を軽く引っ張るだけで確実かつ容易に充電状態にすることができる。
【００３１】
さらに、載置部１１に塵埃や水等の液体が付着しても、充電端子部１４に設けた壁１８に遮られると共に、貫通孔２０又は側面端部１９を通り載置部１１内から排出することができるので、充電端子部１４内に塵埃や水等の液体が侵入し、充電端子に付着するのを防止することができる。
【００３２】
また、起毛布２３を使用しているので掃除機本体の外郭への傷付きを防止することもできる。
【００３３】
なお、本実施例では、起毛布で保持部を構成したが、フェルトや不織布等においても同様の効果が得られるのは言うまでもない。
【００３４】
（実施例３）
図７及び図８は、本発明の第３の実施例における充電台の斜視図及び中央断面図を示すものである。なお上記実施例と同一構成部品については同一符号を付して、その説明を省略する。
【００３５】
載置部１１の充電端子部１４と反対側には、充電状態で掃除機本体１を保持する保持部Ｂ２１を、上ケース９に回動自在に軸支した回転体２４で構成している。
【００３６】
上記構成による作用は以下のとおりである。
【００３７】
掃除機本体１の内部の二次電池を充電する時、把手部３を持ち本体傾斜状態のままで掃除機本体１を載置部１１近傍に適当に置き、把手部３を軽く引っ張ると掃除機本体１外郭が回転体２４に当接することで回転体２４が回転し、且つ、掃除機本体１を載置部１１中央に誘導しながら本体端子部７が充電端子部１４に係合し、本体端子６が本体端子挿入孔１７を介して充電端子１３と接触して充電状態になる。
【００３８】
したがって、端子部同士を合わせるように狙うことなく、掃除機本体を充電台の載置部近傍に適当に置き、把手部を軽く引っ張るだけで確実かつ容易に充電状態にすることができる。
【００３９】
さらに、載置部１１に塵埃や水等の液体が付着しても、充電端子部１４に設けた壁１８に遮られると共に、貫通孔２０又は側面端部１９を通り載置部１１内から排出することができるので、充電端子部１４内に塵埃や水等の液体が侵入し、充電端子に付着するのを防止することができる。
【００４０】
なお、上記各実施例では、保持部Ａ１１と、保持部Ｂ２１と、掃除機本体１の後面の形状に合わせた載置部１１を連続的に形成して、本体端子６と充電端子１３は電気的接続せず、前記掃除機本体１を保持部Ａ１１と保持部Ｂ２１に載置した状態から、前記掃除機本体１の後面を前記載置部１１上にてスライド移動させることで、本体端子６と充電端子１３を電気的接続させる構成としているが、前記掃除機本体１を本体端子６と充電端子１３は電気的接続せず、前記掃除機本体１を保持部Ｂ２１に載置した状態から、載置部１１方向へ移動させることで、本体端子６と充電端子１３を電気的接続させる構成であってもよい。
【００４１】
【発明の効果】
以上のように、本発明によれば、掃除機本体の本体端子と充電台の充電端子を容易かつ確実に電気的接続ができる電気掃除機を提供できる。
【図面の簡単な説明】
【図１】本発明の実施例１における掃除機本体及び充電台の斜視図（掃除機本体を充電台に載置する時）
【図２】同掃除機本体及び充電台の側面図（掃除機本体を充電台に載置した時）
【図３】同掃除機本体及び充電台の充電状態を示す側面図
【図４】同充電台の斜視図
【図５】同充電台の中央断面図
【図６】本発明の実施例２における充電台の中央断面図
【図７】本発明の実施例３における充電台の斜視図
【図８】同充電台の中央断面図
【図９】従来の掃除機本体及び充電台の要部断面図
【符号の説明】
１　掃除機本体
３　把手部
６　本体端子
７　本体端子部
８　充電台
１１　載置部
１２　保持部Ａ
１３　充電端子
１４　充電端子部
１５　充電用回路
１６　底面最低部
１７　本体端子挿入孔
１８　壁
１９　側面端部
２０　貫通孔
２１　保持部Ｂ
２２　軟質材
２３　起毛布
２４　回転体
【図１】
2004113600.tif 000003
【図２】
2004113600.tif 000004
【図３】
2004113600.tif 000005
【図４】
2004113600.tif 000006
【図５】
2004113600.tif 000007
【図６】
2004113600.tif 000008
【図７】
2004113600.tif 000009
【図８】
2004113600.tif 000010
【図９】
2004113600.tif 000011